(57)【特許請求の範囲】
【請求項１】
リンク部分を有する複数のチェーン単体相互を、軸ピンを介して無端状に連結できて、搬送ラインに使用できるチェーンに於いて、リンク部分は、前方に向って突出すると共に湾曲内周面で囲まれる軸受収容空間を有する突出頭部と、後がわに向って突設される一対の脚片部とを備え、一対の脚片部には軸ピンが横架固定されると共に、一対の脚片部の間には他のチェーン単体の突出頭部が軸ピンで貫通された状態に配され、突出頭部の軸受収容空間内には、軸ピンが貫通される軸受部を配し、この軸受部には、軸受収容空間の前がわ湾曲内周面部分に摺接可能な湾曲面を設け、軸受部を前後に分割して、前がわの分割軸受部を後がわの分割軸受部に対して分離可能に形成すると共に、前がわの分割軸受部及び後がわの分割軸受部夫々を機能、用途に適した適宜材料によって構成できるようにしたことを特徴とする搬送ライン用チェーンの軸受構造。
【請求項２】
前がわの分割軸受部の分割面には、軸ピンの前がわ湾曲面が摺接する軸ピン収容溝を設け、後がわの分割軸受部の分割面には、軸ピンの後がわが収まる軸ピン収容溝を設けたことを特徴とする請求項１記載の搬送ライン用チェーンの軸受構造。
【請求項３】
前がわの分割軸受部の分割面と後がわの分割軸受部の分割面に、係止突部と係止凹部、或いは、蟻と蟻溝等からなる適宜係止手段を設けたことを特徴とする請求項１または請求項２記載の搬送ライン用チェーンの軸受構造。
【請求項４】
リンク部分を有する複数のチェーン単体相互を、軸ピンを介して無端状に連結できて、搬送ラインに使用できるチェーンに於いて、リンク部分は、前方に向って突出すると共に湾曲内周面で囲まれる軸受収容空間を有する突出頭部と、後がわに向って突設される一対の脚片部とを備え、一対の脚片部には軸ピンが横架固定されると共に、一対の脚片部の間には他のチェーン単体の突出頭部が軸ピンで貫通された状態に配され、突出頭部の軸受収容空間内には、軸ピンが貫通される軸受部を配し、この軸受部には、軸受収容空間の前がわ湾曲内周面部分に摺接可能な湾曲面を設け、軸受部の前がわ湾曲面部分を分離可能に形成すると共に、軸受部に互換装着可能となるように構成し、この分離可能な軸受部の前がわ湾曲面部分を、機能、用途に適した適宜材料によって構成できるようにしたことを特徴とする搬送ライン用チェーンの軸受構造。
【発明の詳細な説明】
【０００１】
【発明の属する技術分野】
本発明は、リンク部分を有する複数のチェーン単体相互を軸ピンを介して無端状に連結し、例えば、飲料品や、食品や、医薬品や、その他の適宜搬送物を、リンク部分の上面、或いは、リンク部分の上部に設けたトッププレート部分の上面に載置して、これらを搬送できるように構成された搬送ライン用チェーンに於いて、チェーン単体相互を連結するときの軸ピンを受ける軸受部の耐久性や、強度や、耐磨耗性等を簡単に高められるようにすると共に、滑らかに動くようにし、しかも、搬送面の無駄な上下揺動の抑制も可能となり、チェーン駆動時の消音化も可能となり、チェーン単体全体のコストの低減にも役立つように工夫した搬送ライン用チェーンの軸受構造に関する。
【０００２】
【従来の技術】
従来、この種の搬送ライン用チェーンの軸受構造にあっては、種々のものが提供されており、例えば、実開平２−１４５２１７号公報に記載されているようなコンベアに於けるスラット型チェーン装置にあっては、リンクの前端部位に枢支部を設け、この枢支部の円形孔に円柱状のピンガイドを左右回動自在に遊嵌し、ピンガイドの孔にピンを挿通するように構成されたものがある。
また、このピンガイドは、トッププレート等に一体的に連設されたものも存在する。
【０００３】
【発明が解決しようとする課題】
そのため、円柱状のピンガイド自体は、例えば、耐久性や、強度や、耐磨耗性等を考慮した通常のものよりコストの高い材料等によって構成されたものが利用できるようになるが、比較的長く設定される搬送ライン用チェーンにあっては、このピンガイドを多数使用しなければならない難点があり、ひいては、搬送ライン用チェーン全体のコストが高くなる難点等があった。
また、ピンガイドとトッププレート等が一体的に連設された構成のものにあっては、そのコストの負担がより大きいものとなる。
更に、従来の搬送ライン用チェーンにあっては、駆動用のスプロケットのチェーンのリンク部分への噛込み時に音が発生し易く、これが騒音となる難点等もあった。
【０００４】
【課題を解決するための手段】
そこで、本発明は、従来存した如上の如き難点等を解消し、チェーン単体の軸受部の耐久性、強度、耐磨耗性等の向上が簡単に図れ、軸受部が滑らかに動くようになり、しかも、構成が簡素で、メンテナンスも容易で、製造が簡単で、量産に適し、低廉で、チェーン単体全体のコストの低減にも役立ち、加えて、チェーンの駆動時の消音化も可能となり、搬送面の無駄な上下揺動の抑制も可能となり、多様な使用目的に適応し易い搬送ライン用チェーンの軸受構造を提供すべく創出されたものである。
【０００５】
しかして、請求項１記載の搬送ライン用チェーンの軸受構造にあっては、リンク部分を有する複数のチェーン単体Ｓ相互を、軸ピンＤを介して無端状に連結できて、搬送ラインに使用できるチェーンに於いて、リンク部分は、前方に向って突出すると共に湾曲内周面で囲まれる軸受収容空間５を有する突出頭部１と、後がわに向って突設される一対の脚片部２とを備え、一対の脚片部２には軸ピンＤが横架固定されると共に、一対の脚片部２の間には他のチェーン単体Ｓの突出頭部１が軸ピンＤで貫通された状態に配され、突出頭部１の軸受収容空間５内には、軸ピンＤが貫通される軸受部を配し、この軸受部には、軸受収容空間５の前がわ湾曲内周面部分に摺接可能な湾曲面を設け、軸受部を前後に分割して、前がわの分割軸受部を後がわの分割軸受部に対して分離可能に形成すると共に、前がわの分割軸受部及び後がわの分割軸受部夫々を機能、用途に適した適宜材料によって構成できるようにする手段を採用した。
【０００６】
また、請求項２記載の搬送ライン用チェーンの軸受構造にあっては、前がわの分割軸受部の分割面には、軸ピンＤの前がわ湾曲面が摺接する軸ピン収容溝１５を設け、後がわの分割軸受部の分割面には、軸ピンＤの後がわが収まる軸ピン収容溝１１を設ける手段を採用した。
【０００７】
更に、請求項３記載の搬送ライン用チェーンの軸受構造にあっては、前がわの分割軸受部の分割面と後がわの分割軸受部の分割面に、係止突部１２と係止凹部１６、或いは、蟻と蟻溝等からなる適宜係止手段を設ける手段を採用した。
【０００８】
そして、請求項４記載の搬送ライン用チェーンの軸受構造にあっては、リンク部分を有する複数のチェーン単体Ｓ相互を、軸ピンＤを介して無端状に連結できて、搬送ラインに使用できるチェーンに於いて、リンク部分は、前方に向って突出すると共に湾曲内周面で囲まれる軸受収容空間５を有する突出頭部１と、後がわに向って突設される一対の脚片部２とを備え、一対の脚片部２には軸ピンＤが横架固定されると共に、一対の脚片部２の間には他のチェーン単体Ｓの突出頭部１が軸ピンＤで貫通された状態に配され、突出頭部１の軸受収容空間５内には、軸ピンＤが貫通される軸受部を配し、この軸受部には、軸受収容空間５の前がわ湾曲内周面部分に摺接可能な湾曲面を設け、軸受部の前がわ湾曲面部分を分離可能に形成すると共に、軸受部に互換装着可能となるように構成し、この分離可能な軸受部の前がわ湾曲面部分を、機能、用途に適した適宜材料によって構成できるようにする手段を採用した。
【０００９】
【発明の実施の形態】
以下、本発明を図示例に基づいて説明する。
先ず、本発明の軸受構造が採用される搬送ライン用チェーンは、リンク部分を有する複数のチェーン単体Ｓ相互を、軸ピンＤを介して無端状に連結できて、適宜搬送ラインに使用できるチェーンであって、例えば、飲料品や、食品や、医薬品や、その他の適宜搬送物をリンク部分の上面に載置して、或いは、リンク部分の上面に設けたトッププレート部分の上面に載置して搬送できるように構成されたものである。
【００１０】
そして、本発明の軸受構造にあっては、リンク部分は、前方に向って突出する平面略Ｃ字状の湾曲周壁状を呈し、この湾曲周壁の湾曲内周面で囲まれる軸受収容空間５を有する突出頭部１と、湾曲周壁の左右端部から後がわに向って突設される一対の脚片部２とを備えており、この一対の脚片部２の後端がわに穿設した嵌挿孔４を介して軸ピンＤが横架固定されると共に、一対の脚片部２の間には他のチェーン単体Ｓの突出頭部１が軸ピンＤで貫通された状態に配されるよう構成してある。しかも、突出頭部１は、その湾曲周壁左右に穿設した前後方向に長い長孔３を介して軸ピンＤが貫通され、軸ピンＤに対して上下方向に揺動自在（軸ピンＤの軸心に対して直交する平面内に於いて、軸ピンＤの軸心を中心として上下に揺動自在）となると共に、軸ピンＤに対して左右方向に揺動自在（軸ピンＤの軸心を含む平面内に於いて、軸ピンＤの長手方向中央部分を中心として左右に揺動自在）となるように構成されている。尚、突出頭部１は、軸ピンＤに対して上下方向に揺動（軸ピンＤの軸心に対して直交する平面内に於いて、軸ピンＤの軸心を中心として上下に揺動）せず、軸ピンＤに対して左右方向に揺動自在（軸ピンＤの軸心を含む平面内に於いて、軸ピンＤの長手方向中央部分を中心として左右に揺動自在）となるように構成されたものであっても良い。
【００１１】
更に、前記リンク部分の突出頭部１の軸受収容空間５内に、軸ピンＤが貫通される軸受部を配すると共に、この軸受部に軸受収容空間５の前がわ湾曲内周面部分に摺接可能な湾曲面を設け、この軸受部を前後に分割して、例えば、前記湾曲面がある前がわの分割軸受部を前軸受駒体Ｃとし、後がわの分割軸受部を後軸受駒部Ｂ２とし、前軸受駒体Ｃを後軸受駒部Ｂ２に対して分離可能に形成すると共に、前軸受駒体Ｃ及び後軸受駒部Ｂ２夫々を機能、用途に適した適宜材料によって構成できるようにしてある。しかして、前軸受駒体Ｃは、前がわが軸受収容空間５の前がわ湾曲内周面部分に摺接する湾曲面となる略半円柱状に形成され、後軸受駒部Ｂ２は、後がわがスプロケットに噛合う平坦面となるよう形成されている。
【００１２】
ところで、前軸受駒体Ｃ及び後軸受駒部Ｂ２夫々の機能、用途に適した適宜材料に於いて、例えば、搬送時に突出頭部１の軸受収容空間５の前がわ湾曲内周面に圧接される前軸受駒体Ｃは、耐久性、耐磨耗性、及び強度等の優れた材料によって構成され、チェーン単体Ｓ全体の耐久性及び強度の向上が図れるようにしたり、また、後軸受駒部Ｂ２は、耐久性や強度がそれ程高くない材料によって構成され、チェーン単体Ｓ全体のコストダウンが図れるようにしたり、或いは、含油率の高い材料や、適宜弾性を供えた材料等によって構成され、チェーンに駆動力を伝達するスプロケットと後軸受駒部Ｂ２との接触時に於いて、滑らかな接触状態が得られるようにしたり、静かで騒音を生じない接触状態が得られるようにする。
【００１３】
更に、前軸受駒体Ｃの分割面には、軸ピンＤの前がわ湾曲面が摺接する略半円溝状の軸ピン収容溝１５を設け、後軸受駒部Ｂ２の分割面には、軸ピンＤの後がわが収まる略半円溝状の軸ピン収容溝１１が設けられており、軸ピンＤが軸ピン収容溝１１，１５に収容されている限り、前軸受駒体Ｃと後軸受駒部Ｂ２の分割面が相互に（上下に）ズレないように構成されている。
【００１４】
加えて、前軸受駒体Ｃの分割面と後軸受駒部Ｂ２の分割面には、係止突部１２と係止凹部１６、或いは、蟻（係止突部１２）と蟻溝（係止凹部１６）等からなる適宜係止手段が設けられており、前軸受駒体Ｃと後軸受駒部Ｂ２が確実に係止され、その分割面相互が簡単に離れるようなことがないように構成されている。尚、係止突部１２と係止凹部１６は、図示例では夫々対向する分割面の下部と上部にその長さを異ならしめて水平に配してあるが、係止突部１２と係止凹部１６の具体的な寸法、形状、数、配設位置、配設向き等は適宜自由に設定できる。また、図１０に示すような蟻（係止突部１２）と蟻溝（係止凹部１６）等からなる適宜係止手段の場合は、その溝が上下方向に沿うように設けておいて、軸受収容空間５内に於いて、前軸受駒体Ｃに後軸受駒部Ｂ２を係止できるように構成しても良い。
更に、前軸受駒体Ｃの分割面と後軸受駒部Ｂ２の分割面とは、常時密着した状態となるように構成したものでも良いし、ある程度の隙間状態を維持できるように構成したものでも良いし、密着した状態からある程度の隙間状態の間で、自由に移動できるように構成したものであっても良い。すなわち、軸ピンＤから前軸受駒体Ｃに力が加えられたときに、前軸受駒体Ｃに加えられた力が、後軸受駒部Ｂ２に影響するように構成しても良いし、前軸受駒体Ｃに加えられた力が、後軸受駒部Ｂ２には影響しないように構成しても良い。
【００１５】
また、本発明の軸受構造は、軸受収容空間５の前がわ湾曲内周面部分に摺接する軸受部の前がわ湾曲面部分に、機能、用途に適した適宜材料によって構成した別部材を嵌め込み固定（或いは、接着）するように構成される（図示せず）。しかも、この別部材は、軸受部に対して取外し可能（互換装着可能）となるように構成したものであっても良いし、取外し不能となるように構成したものであっても良い。
すなわち、軸受収容空間５の前がわ湾曲内周面部分に摺接すると共に、搬送時に最も力を受ける軸受部の前がわ湾曲面部分を、チェーンの機能、用途等に応じて種々の材料で自由に構成できるようにして、その耐久性や、強度や、耐磨耗性等の物理的性質を向上できるようにすると共に、チェーン全体のコストの低減も図れるようにしたものである。
【００１６】
次に、本発明の軸受構造を採用した図１乃至図６に示すチェーン単体Ｓについて説明すると、このチェーン単体Ｓは、リンク部分の上部にトッププレート部分を設けたものであって、リンク部分は、前方に向って突出している略平面Ｃ字状の湾曲周壁で囲まれる軸受収容空間５を有する突出頭部１と、この突出頭部１の左右後端から後がわに向って突設される一対の脚片部２とを備え、一対の脚片部２の間には他のチェーン単体Ｓの突出頭部１が配され、一対の脚片部２の後端部に設けた略Ｄ字形嵌挿孔４に嵌挿固定して横架配設される縦断面略Ｄ字形の軸ピンＤが、突出頭部１の湾曲周壁左右に穿設した前後に長い長孔３に遊挿されるように形成してあり、隣設するチェーン単体Ｓ相互に於いて、後がわのチェーン単体Ｓが、軸ピンＤに対して上下方向に揺動自在となると共に、軸ピンＤに対して左右方向に揺動自在となるように構成されている。
【００１７】
また、チェーン単体Ｓのトッププレート部分は、突出頭部１中央部を中心とするような略平面円弧状の分割線を利用して分割された略半円板状の前プレート部Ｂ１と、その前端がわが略半円状に切設された矩形板状の後プレート部Ａ２とで構成され、後プレート部Ａ２は、リンク部分の後がわ上部に一体的に連設され、前プレート部Ｂ１は、リンク部分の前がわ上部に配されると共に、その前がわ下面には、前記軸受部が連設されている。
すなわち、水平方向に於いて湾曲するように搬送する場合に、後プレート部Ａ２が前プレート部Ｂ１に対して左右方向に揺動し、後プレート部Ａ２前端縁と、前プレート部Ｂ１後端縁との間に隙間が一定で且つ小さくて済むように構成されており、一方、傾斜搬送する場合に、後がわのチェーン単体Ｓの前プレート部Ｂ１前端縁部分と、前がわのチェーン単体Ｓの後プレート部Ａ２後端縁部分とで折曲がるように構成されている。
【００１８】
加えて、前プレート部Ｂ１の軸受部は、前後に二分割され、分割された後がわの軸受部が、後軸受駒部Ｂ２として前プレート部Ｂ１に一体的に連設されており、一方、分割された前がわの軸受部が、前軸受駒体Ｃとして前プレート部Ｂ１とは別体に構成され、この前軸受駒体Ｃを適宜材料（例えば、低磨耗材や、含油率の高い材料等）によって形成でき、後軸受駒部Ｂ２及び前プレート部Ｂ１を適宜材料（例えば、含油率の高い材料や、適宜弾性材や、摩擦力の高いゴム材等）によって形成できるようになっている。
【００１９】
それから、前プレート部Ｂ１の前端縁には複数の突出片１０を設けると共に、後プレート部Ａ２の後端縁にはこれら突出片１０に対峙する複数の収容溝７を設けて、突出片１０が収容溝７に収容可能となるように構成されている。すなわち、前がわのチェーン単体Ｓの後プレート部Ａ２と、後がわのチェーン単体Ｓの前プレート部Ｂ１との間の隙間を略方形波状に形成して、搬送物の引っ掛かりや、転倒等が生じ難くなるように構成してある。
尚、左右方向中央の突出片１０は、他の突出片１０より幅広に構成され、左右方向中央の収容溝７も、他の収容溝７より幅広に構成されている。
【００２０】
ところで、チェーン単体Ｓは、適宜合成樹脂材（或いは、その他の適宜材料）によって一体的に構成されるチェーン基体Ａと、適宜合成樹脂材（或いは、その他の適宜材料）によって一体的に構成されるプレート体Ｂと、適宜合成樹脂材（或いは、その他の適宜材料）によって構成される前軸受駒体Ｃと、適宜金属材（或いは、その他の適宜材料）によって構成される軸ピンＤとによって構成されており、チェーン基体Ａは、リンク部Ａ１と、後プレート部Ａ２とからなり、リンク部Ａ１の前がわ上部には、プレート体Ｂの前プレート部Ｂ１が収容載置されるプレート収容凹部６が凹設されている。しかも、プレート体Ｂは、前プレート部Ｂ１と後軸受駒部Ｂ２とを一体的に形成したもので、この後軸受駒部Ｂ２は、突出頭部１の湾曲周壁内周面に摺接される。ところで、プレート体Ｂは、例えば、摩擦抵抗の大きなゴム材等によって形成し、傾斜搬送時に於いて、搬送物が前プレート部Ｂ１上面に対して滑ることなく安定的に搬送できるように構成したり、後軸受駒部Ｂ２がスプロケットとの噛込みに於いて、騒音（噛込み音等）を発しないように構成することもできる。
【００２１】
軸ピンＤは、例えば、略後端面がわが偏平な円柱状を呈し、その左右端部は、一対の脚片部２の嵌挿孔４に一端嵌挿されると容易に嵌挿孔４から逸脱しないように形成されている。
【００２２】
また、本発明の軸受構造を採用した図７乃至図９に示すチェーン単体Ｓは、リンク部分に、一枚のトッププレート部分を一体的に連設したもので、軸受部は、略短い円柱状を呈し、これを前後に分割したような状態に構成され、前がわの分割軸受部が前軸受駒体Ｃとなっているものである。
【００２３】
ところで、本発明の軸受構造に於ける軸受部（或いは、後軸受駒部Ｂ２）には、その上方にトッププレート部分以外のその他の適宜アタッチメントを簡単に連設することができるものであり、各種用途のチェーンに本発明の軸受構造を利用できるものである。
【００２４】
尚、軸受構造の具体的構成、チェーン単体Ｓの具体的構成、形状、寸法、材質、リンク部分の具体的構成、形状、寸法、材質、プレート部分の具体的構成、形状、寸法、材質、突出頭部１の具体的構成、形状、寸法、材質、湾曲周壁の具体的構成、形状、寸法、材質、脚片部２の具体的構成、形状、寸法、材質、配設位置、数、長孔３の具体的構成、形状、寸法、配設位置、嵌挿孔４の具体的構成、形状、寸法、配設位置、軸受収容空間５の具体的構成、形状、寸法、突出片１０の具体的構成、形状、寸法、配設位置、数、軸ピン収容溝１１の具体的構成、形状、寸法、配設位置、係止突部１２の具体的構成、形状、寸法、材質、配設位置、数、前軸受駒体Ｃの具体的構成、形状、寸法、材質、軸ピン収容溝１５の具体的構成、形状、寸法、配設位置、係止凹部１６の具体的構成、形状、寸法、配設位置、数、軸ピンＤの具体的構成、形状、寸法、材質、その両端部分の嵌挿孔４への具体的嵌挿手段等は、図示例のもの等に限定されることなく適宜自由に設定、変更できるものである。
【００２５】
【発明の効果】
従って、請求項１記載の搬送ライン用チェーンの軸受構造は、リンク部分を有する複数のチェーン単体Ｓ相互を、軸ピンＤを介して無端状に連結できて、搬送ラインに使用できるチェーンに於いて、リンク部分は、前方に向って突出すると共に湾曲内周面で囲まれる軸受収容空間５を有する突出頭部１と、後がわに向って突設される一対の脚片部２とを備え、一対の脚片部２には軸ピンＤが横架固定されると共に、一対の脚片部２の間には他のチェーン単体Ｓの突出頭部１が軸ピンＤで貫通された状態に配され、突出頭部１の軸受収容空間５内には、軸ピンＤが貫通される軸受部を配し、この軸受部には、軸受収容空間５の前がわ湾曲内周面部分に摺接可能な湾曲面を設け、軸受部を前後に分割して、前がわの分割軸受部を後がわの分割軸受部に対して分離可能に形成すると共に、前がわの分割軸受部及び後がわの分割軸受部夫々を機能、用途に適した適宜材料によって構成できるようにしたので、特に、前がわの分割軸受部を機能、用途に応じて種々の材料のものに自由に選択して互換装着できるようになり、例えば、搬送時に突出頭部１の軸受収容空間５の前がわ湾曲内周面に圧接される前がわの分割軸受部を、耐久性、強度、耐磨耗性の優れた材料や、低磨耗材等によって構成するだけで、チェーン単体Ｓの軸受部の耐久性、強度、耐磨耗性の向上が簡単に図れたり、軸受収容空間５や軸ピンＤに対する前がわの分割軸受部の滑らかな動きが簡単に得られるようになる。しかして、後がわの分割軸受部を、耐久性や強度がそれ程高くない材料で構成することができるようになり、チェーン単体Ｓ全体のコストダウンに役立つものとなる。しかも、多様な使用目的等に適応し易く、軸受構造自体の構成が簡素となり、メンテナンスが容易で、製造が簡単で、量産に適し、低廉で、軸受部の寿命も長くなって、経済的なものとなる。
【００２６】
加えて、後がわの分割軸受部を、例えば、含油率の高い材料や、適宜弾性材等によって構成できるようになり、チェーンに駆動力を伝達するスプロケットと後がわの分割軸受部との接触時に於いて、滑らかな接触状態が得られるようになったり、静かで騒音を生じない接触状態が得られるようになる。
【００２７】
また、請求項２記載の搬送ライン用チェーンの軸受構造は、前がわの分割軸受部の分割面には、軸ピンＤの前がわ湾曲面が摺接する軸ピン収容溝１５を設け、後がわの分割軸受部の分割面には、軸ピンＤの後がわが収まる軸ピン収容溝１１を設けたので、軸ピンＤが軸ピン収容溝１１，１５に収容されている限り、前がわと後がわの分割軸受部の分割面が相互にズレるようなことがないものとなる。
【００２８】
更に、請求項３記載の搬送ライン用チェーンの軸受構造は、前がわの分割軸受部の分割面と後がわの分割軸受部の分割面に、係止突部１２と係止凹部１６、或いは、蟻（係止突部１２）と蟻溝（係止凹部１６）等からなる適宜係止手段を設けたしたので、前がわの分割軸受部と後がわの分割軸受部が確実に係止され、その分割面相互が簡単に離れるようなことがないものとなる。尚、蟻（係止突部１２）と蟻溝（係止凹部１６）等からなる適宜係止手段に於いて、その溝が上下方向に沿うように設けておき、軸受収容空間５内で前軸受駒体Ｃに後軸受駒部Ｂ２を係止できるように構成することにより、その取扱いが容易となり、組立てや分解等が行い易いものとなる。
【００２９】
そして、請求項４記載の搬送ライン用チェーンの軸受構造は、リンク部分を有する複数のチェーン単体Ｓ相互を、軸ピンＤを介して無端状に連結できて、搬送ラインに使用できるチェーンに於いて、リンク部分は、前方に向って突出すると共に湾曲内周面で囲まれる軸受収容空間５を有する突出頭部１と、後がわに向って突設される一対の脚片部２とを備え、一対の脚片部２には軸ピンＤが横架固定されると共に、一対の脚片部２の間には他のチェーン単体Ｓの突出頭部１が軸ピンＤで貫通された状態に配され、突出頭部１の軸受収容空間５内には、軸ピンＤが貫通される軸受部を配し、この軸受部には、軸受収容空間５の前がわ湾曲内周面部分に摺接可能な湾曲面を設け、軸受部の前がわ湾曲面部分を分離可能に形成すると共に、軸受部に互換装着可能となるように構成し、この分離可能な軸受部の前がわ湾曲面部分を、機能、用途に適した適宜材料によって構成できるようにしたので、例えば、搬送時に突出頭部１の軸受収容空間５の前がわ湾曲内周面に圧接されて、最も力を受ける軸受部の前がわ湾曲面部分を、耐久性及び強度の優れた材料によって構成するだけで、チェーン単体Ｓ全体の耐久性及び強度の向上が簡単に図れるようになる。加えて、機能、用途等に応じた種々の材料は、軸受部の前がわ湾曲面部分だけで済むようになり、この材料自体は僅かで済み、チェーン単体Ｓ全体のコストの低減が図れるようになる。しかも、軸受構造自体の構成が簡素となり、製造が簡単で、量産に適し、低廉で、軸受部の寿命も長くなって、経済的なものとなる。
特に、軸受部の前がわ湾曲面部分を分離可能に形成すると共に、軸受部に互換装着可能となるように構成したので、軸受部の前がわ湾曲面部分を機能、用途に応じて種々の材質のものに自由に互換装着できるようになり、取扱いが容易で、メンテナンスが容易となり、より経済的な軸受構造を提供できるようになる。
【図面の簡単な説明】
【図１】本発明の軸受構造を採用したチェーン単体を例示する分解斜視図である。
【図２】本発明の軸受構造を採用したチェーンを例示する一部切欠底面図である。
【図３】本発明の軸受構造を採用したチェーンを例示する縦断側面図である。
【図４】本発明の軸受構造を採用したチェーンを例示する縦断正面図である。
【図５】本発明の軸受構造を採用したチェーンを例示する平面図である。
【図６】本発明の軸受構造を採用したチェーンを例示する側面図である。
【図７】本発明の軸受構造を採用した他のチェーン単体を例示する分解斜視図である。
【図８】本発明の軸受構造を採用した他のチェーンを例示する一部切欠底面図である。
【図９】本発明の軸受構造を採用した他のチェーンを例示する一部切欠側面図である。
【図１０】本発明の軸受構造部分を例示する部分平断面図である。
【符号の説明】
Ｓ      チェーン単体
Ａ      チェーン基体
Ａ１    リンク部                      Ａ２    後プレート部
１      突出頭部                      ２      脚片部
３      長孔                          ４      嵌挿孔
５      軸受収容空間                  ６      プレート収容凹部
７      収容溝
Ｂ      プレート体
Ｂ１    前プレート部                  Ｂ２    後軸受駒部
１０    突出片                        １１    軸ピン収容溝
１２    係止突部
Ｃ      前軸受駒体
１５    軸ピン収容溝                  １６    係止凹部
Ｄ      軸ピン
【図１】
0003560026.tif 000002
【図２】
0003560026.tif 000003
【図３】
0003560026.tif 000004
【図４】
0003560026.tif 000005
【図５】
0003560026.tif 000006
【図６】
0003560026.tif 000007
【図７】
0003560026.tif 000008
【図８】
0003560026.tif 000009
【図９】
0003560026.tif 000010
【図１０】
0003560026.tif 000011